(57)【要約】　　　（修正有）【課題】座ったまま足裏を刺激し、血行を良くし，エコノミー症候群の防止に役立つ，ハンディタイプのマッサージ器を提供する。【解決手段】ボールＡ１に穴をあけ、紐２の片方を接着剤でつけ、紐２の間に紐のねじれ防止器３をつける。紐２の片方は、紐巻き取り器４につける。紐巻き取り器４には、バネが内蔵されており、紐の長さ調節用ストッパー５で、紐２の長さを調節できる。紐巻き取り器４には、クリップ６をつけている。ボールＢ７についている、フック８により、ボールを取り替え可能とする。【選択図】　　図１
2004057763.tif 000002
【特許請求の範囲】
【請求項１】
ボールＡ（１）のある任意の場所に、糸または、紐（２）をつけ、紐（２）の間に、ねじれ防止器（３）を入れ、その紐（２）の先を紐巻き取り器（４）に取りつけ、紐の長さ調節用ストッパー（５）によって、紐（２）の長さを調節できるようにした、マッサージ器。
【請求項２】
ボールＡ（１）のかわりに、形状、大きさ、硬さなどの異なったボールＢ（７）に、紐（２）をつけ、その先にあるフック（８）を、ねじれ防止器（３）に取りつけて、使用し、使用後は取りはずせるようにした、請求項（１）のマッサージ器。
【請求項３】
紐（２）の間に、ねじれ防止器（３）を入れない、請求項（１）のマッサージ器。
【請求項４】
紐巻き取り器（４）に、ストラップまたは、クリップ（６）をつけた、請求項（１）のマッサージ器。
【発明の詳細な説明】
【０００１】
【発明の属する技術分野】
この発明は、マッサージする場合、「足は第２の心臓」といわれ、足の筋肉が血液を心臓に送り返す、ポンプの役割をしているといわれている。
そこで足の裏のツボを、刺激する方法として、従来は、手の指で押したり、青竹踏み、あるいは刺激棒で押したり、電動式のフットマッサージヤーなどで、マッサージしていたが、特に飛行機、バスなど、動く乗り物の中で、足の裏をマッサージするものが従来なかった。
そこで、ゴム・プラスチック類・トルマリン・木などの材質のボールに紐をつけ、その紐が使用中にねじれないように工夫した、手軽るで誰でも、使用できるハンディタイプのマッサージ器に関するものである。
【０００２】
【従来の技術】
従来、足の裏のツボを刺激する場合
（イ）　手でもんだり、ねじったりする。
（ロ）　麺棒、コーラのびん、青竹、ゴルフボールを踏む。
（ハ）　足を棒のようなものでたたいたり、圧ぱくしたりする。
（ニ）　マイナスイオンを足の裏にあてる。
（ホ）　ライターや、蚊取り線香、の熱を利用して経穴を刺激する。
（ヘ）　フットマッサージャーなどの健康機器を使用する。
いずれの方法も一長一短があり、完全とはいえなかった。
【０００３】
【発明が解決しようとする課題】
本発明は、従来の欠点を除くためになされたものである。
（イ）　近年、飛行機に長時間座って乗っていると、エコノミー症候群と呼ばれる、血液の循環が悪くなるために起きる病気が，社会問題化している、そこで「第２の心臓といわれている足の裏」や体のこっている個所を、刺激することにより、血液の流れを改善し病気を防ぐマッサージ器にする。
（ロ）　動いている乗り物の中で、足の裏のツボを効果的に，マッサージする器具がほとんどなかったので、誰でも簡単に使えるハンディタイプのマッサージ器にする。
（ハ）　スチュワーデスの中にも、青竹や、刺激棒、ゴルフボールを持って搭乗して、仕事をおえたあと、これらでマッサージするそうです、
そこで、一般の乗客でも座ったまま使えるマッサージ器にする。
上記を解決するために研究を重ねた。
【０００４】
【課題を解決するための手段】
それを図面について説明すると、ポリプロピレンなどの高分子樹脂、または、抗菌防臭したプラスチック類・トルマリン・ゴム・木・セラミック・アルミ・磁石・鉄などからなる材質で、径が０．５ｃｍ〜１０ｃｍのボールＡ（１）の任意の場所に、ナイロン・ポリエステルなどの高分子樹脂・炭素繊維・ゴム・または、トルマリンを含有した紐・生糸などの材質の、糸や紐（２）の先をボールＡ（１）に穴をあけたところに通したり、埋め込んだり、または、接着剤で取りつける。
その紐（２）の間に、プラスチックなどの高分子樹脂、または、アルミ・ステンレス・鉄などの材質の、ねじれ防止器（３）を取りつける。
そして、紐（２）は、プラスチック類の高分子樹脂、または、アルミなどの金属類の材質からなる、紐巻き取り器（４）につながっている。
よって、使用後は、紐の長さ調節用ストッパー（５）のボタンを押すと、紐（２）は、紐巻き取り器（４）に内蔵されているバネの力で巻き取られ、紐巻き取り器（４）の中に収納される。
使用する場合は、必要な長さだけ、紐（２）を引っ張りだして使用する。
この時、紐の長さ調節用ストッパー（５）が働き、紐（２）の長さを一定に維持できる。
そして、紐巻き取り器（４）には、ストラップ、または、クリップ（６）をつけているので、それで服やスカートなど、どこへでも挟み取りつけれる。次に、ボールＡ（１）と、大きさ・形状・硬さなどの違うボールＢ（７）の紐（２）の先には、プラスチックなどの高分子樹脂・ゴム・アルミなどの金属類のフック（８）がついており、このフック（８）をねじれ防止器（３）に取りつけて使用できるようになっているので、いろいろなタイプの異なったボールと、交換して使用できる。
次に、紐（２）を巻き取る方法としては、バネ式でも、手動式、あるいは電池によるモーター方式など、紐（２）を巻き取ったり，伸ばしたりする場合、いずれの形や方法でも、紐（２）の伸ばし、収納ができればよい。
本発明は、以上のような構成からなる、ボールに紐をつけたマッサージ器である。
【０００５】
【発明の実施の形態】
以下、本発明の実施の形態について説明する。
実施例−１
（イ）　径が４ｃｍの弾力性のある合成ゴムのボールＡ（１）に、穴をあけ、そこに径が２ｍｍのポリエステルの紐（２）の、片方を通し接着剤でつける。
（ロ）　紐（２）の間に、紐（２）のねじれを防止するため、サルカンタイプのねじれ防止器（３）を取りつける。
（ハ）　その紐（２）の長さは、約２ｍあり、もう片方の紐（２）の先を、メジャータイプの紐巻き取り器（４）につける。
（二）　紐巻き取り器（４）には、紐（２）の長さ調節用ストッパー（５）がついている、また、ストラップあるいはクリップ（６）も取りつける。
（ホ）　別に、たとえば径が２ｃｍのトルマリンのボールＢ（７）に、穴をあけそこに、紐（２）の一方を通し接着剤でつける。
（ヘ）　その紐（２）のもう一方の先には、フック（８）をつける。
（ト）　そのフック（８）により、ねじれ防止器（３）に取りつけ、あるいは、取り外せるようになっている。
本発明は以上のような構造である、これを使用するときは、
（イ）　飛行機やバスなどの座席にすわり、床にタオル・紙などを敷き、紐（２）を紐巻き取り器（４）から引っ張りだして、ボールＡ（１）をタオルの上に置く、そして紐巻き取り器（４）を手に持つか、あるいは、ストラップまたは、クリップ（６）で服やスカートに取りつける。
（ロ）　次に、ボール（１）の上に足をのせて、足を前後左右、あるいは、円をえがくように動かすと、ボールＡ（１）が転がり、足の裏のこっている部分や、ツボをマッサージできる。
（ハ）　ボールＡ（１）を転がしていると、当然紐（２）にねじれが生ずるので、これを解消するために、ねじれ防止器（３）のリング部分が回転して、ねじれを防止する。
（二）　使用後は、紐巻き取り器（４）についている、紐の長さ調節用ストッパー（５）を押すと、バネの力で紐（２）が収納される。
（ホ）　別のたとえば、トルマリン含有のボールＢ（７）を使いたい場合は、ボールＡ（１）の紐（２）を、ねじれ防止器（３）から取りはずし、そして、ボールＢ（７）の紐（２）の先に付いているフック（８）を、ねじれ防止器（３）のリング部分に取りつけて、ボールＡ（１）と同じように使用する。
実施例−２
紐（２）を巻き取る場合、紐巻き取り器（４）に電池式のモーターを使用したもの。
使用方法は、実施例−１に準ずる。
実施例−３
ボールＡ（１）と紐巻き取り器（４）の間を、紐（２）だけでつないだもの。
使用方法は、実施例−１に準ずる。
実施例−４
ボールＡ（１）とボールＢ（７）の両方を、ねじれ防止器（３）に取りつけ、両方同時に使用できるようにしたもの。
使用方法は、実施例−１に準ずる。
実施例−５
ボールＡ（１）のかわりに、円柱状の棒に突起をつけたタイプのもの。
使用方法は実施例−１に準ずる。
【０００６】
【発明の効果】
この発明により、従来、「足の裏は第２の心臓」などといわれていたが、最近では、むしろ「足の裏には体の全器官が集まっているところ」といわれている。
この足の裏のマッサージ方法としては、主に手で１）なで、さする、２）もむ、３）たたく、４）突く、５）振る、揺する、という５つのやり方があり、これを上手にくみ合わせて、使いこなしていた。
しかし、本発明品の、ボールに紐をつけたマッサージ器を使用すると
（１）　飛行機やバスなど、動いている乗り物の中で、長時間座ったまま移動する場合、血液の循環が悪くなることにより起こる、エコノミー症候群といわれる、病気になったりすることがある。
これらの病気を防ぐため、足の裏全体をボールでマッサージする、この時、足も同時に揺り動かすので、これの相乗効果によって、血液の循環も改善されて、病気の予防と疲労回復に役立つ。
（２）　動く乗り物の中で、足の裏のツボをマッサージする器具が、従来ほとんどなかったが、この発明品には、ボールに紐がついているので、ボールが転がって、どこかにいってしまうこともないので、安全に、そして、安心して使用できる。
（３）　この発明品は、紐の長さを自由に調節できるようになっているので、身長差に関係なく、立ち踏みもでき、また、座ったままでも使用できるので便利である。
（４）　この発明品は、ボールを自由自在に転がして使うため、紐がねじれる、よって、これを防止するために、ねじれ防止器をつけているので、紐がねじれてからまることもなく使い易い。
（５）　この発明品には、人の好みに合わせて、ボールの大きさ・硬さ・形状などの違うボールを、簡単に取り替えて使用できるよう、ボールに紐をつけ、その先にフックをつけている。
（６）　この発明品は、足の裏だけでなく、手に持って、肩こりの場所など体のこっているところに、ボールを当て、手の平で転がして使用することもできる。
（７）　トルマリンを含有するボールを使用すると、マイナスイオンや、遠赤外線の放出による相乗効果により、体を温め、ストレスの解消に役立つ。
【図面の簡単な説明】
【図１】本発明の斜視図である。
【符号の説明】
１　ボールＡ
２　紐
３　紐のねじれ防止器
４　紐巻き取り器
５　紐の長さ調節用ストッパー
６　クリップ
７　ボールＢ
８　フック
【図１】
2004057763.tif 000003